【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
光源としての複数の発光ダイオードと、
画像データを入力する入力手段と、
前記複数の発光ダイオードの光源からの光を走査する光学走査手段と、
前記画像データに応じた画像の投影のために、前記画像データの階調分布に基づき前記複数の発光ダイオードそれぞれの発光量を制御する制御手段とを有することを特徴とする投影装置。
【請求項２】
前記光学走査手段はポリゴンミラーであることを特徴とする請求項1に記載された投影装置。
【請求項３】
前記光源は白色発光ダイオードをライン状に配置した白色発光ダイオードアレイであり、前記光学走査手段は前記白色発光ダイオードアレイの位置または角度を変更することにより前記走査を行うことを特徴とする請求項1に記載された投影装置。
【請求項４】
前記光源は白色発光ダイオードをライン状に配置した白色発光ダイオードアレイであり、前記光学走査手段はバリアングルプリズムであることを特徴とする請求項1に記載された投影装置。
【請求項５】
前記光学走査手段から入射する光束を、前記画像データに基づき空間光変調する光変調手段をさらに有する請求項1から請求項4の何れか一項に記載された投影装置。
【請求項６】
さらに、前記光源、前記光学走査手段および前記光変調手段の動作を同期させる同期手段を有することを特徴とする請求項5に記載された投影装置。
【請求項７】
前記光源はRGB三色をそれぞれ発光する複数の発光ダイオードアレイであり、前記光変調手段は前記RGB三色の光をそれぞれ空間光変調する複数の光変調手段を有することを特徴とする請求項5または請求項6に記載された投影装置。
【請求項８】
複数の白色発光ダイオードを二次元状に配置した白色発光ダイオードアレイを有する光源と、
前記光源からの光を平行光に集光する集光手段と、
前記集光手段から入射する光束を画像データに基づき空間光変調する光変調手段と、
前記画像データに応じた画像の投影のために、前記画像データの階調分布に基づき前記複数の白色発光ダイオードそれぞれの発光量を制御する制御手段とを有することを特徴とする投影装置。
【請求項９】
RGBごとに、複数の発光ダイオードを二次元状に配置した複数の発光ダイオードアレイを有する光源と、
前記光源からの光を平行光に集光する集光手段と、
前記集光手段から入射する光束を画像データに基づき空間光変調する光変調手段と、
前記画像データに応じた画像の投影のために、前記画像データの階調分布に基づき前記複数の発光ダイオードそれぞれの発光量を制御する制御手段とを有することを特徴とする投影装置。
【請求項１０】
さらに、隣接する投影装置との光束の重ね合わせ部の階調を調整する調整手段を有し、
前記制御手段は、さらに、前記重ね合わせ部の大きさおよび前記重ね合わせ部の数に基づき前記複数の発光ダイオードそれぞれの発光量の制御を行うことを特徴とする請求項1から請求項9の何れか一項に記載された投影装置。
【請求項１１】
光源としての複数の発光ダイオード、画像データを入力する入力手段、および、前記複数の発光ダイオードの光源からの光を走査する光学走査手段を有する投影装置の制御方法であって、
前記画像データに応じた画像の投影のために、前記画像データの階調分布に基づき前記複数の発光ダイオードそれぞれの発光量を制御することを特徴とする制御方法。
【請求項１２】
複数の白色発光ダイオードを二次元状に配置した白色発光ダイオードアレイを有する光源、前記光源からの光を平行光に集光する集光手段、および、前記集光手段から入射する光束を画像データに基づき空間光変調する光変調手段を有する投影装置の制御方法であって、
前記画像データに応じた画像の投影のために、前記画像データの階調分布に基づき前記複数の白色発光ダイオードそれぞれの発光量を制御することを特徴とする制御方法。
【請求項１３】
RGBごとに、複数の発光ダイオードを二次元状に配置した複数の発光ダイオードアレイを有する光源、前記光源からの光を平行光に集光する集光手段、および、前記集光手段から入射する光束を画像データに基づき空間光変調する光変調手段を有する投影装置の制御方法であって、
前記画像データに応じた画像の投影のために、前記画像データの階調分布に基づき前記複数の発光ダイオードそれぞれの発光量を制御することを特徴とする制御方法。
【手続補正２】
【補正対象書類名】明細書
【補正対象項目名】発明の名称
【補正方法】変更
【補正の内容】
【発明の名称】投影装置およびその制御方法
【手続補正３】
【補正対象書類名】明細書
【補正対象項目名】００１１
【補正方法】変更
【補正の内容】
【００１１】
本発明にかかる投影装置は、光源としての複数の発光ダイオードと、画像データを入力する入力手段と、前記複数の発光ダイオードの光源からの光を走査する光学走査手段と、前記画像データに応じた画像の投影のために、前記画像データの階調分布に基づき前記複数の発光ダイオードそれぞれの発光量を制御する制御手段とを有することを特徴とする。
【手続補正４】
【補正対象書類名】明細書
【補正対象項目名】００４０
【補正方法】変更
【補正の内容】
【００４０】
例えば、一画面全体の光源11の光束値を200 lmとし、光源11が10個のLEDを有するとするとLED一個当りの光束値は20 lmであり、走査により縦方向に長い領域において20 lmの光束を出力する。ポリゴンミラー14が六面で構成されるとすると一面当り60度になり、一周期16.67msが60度に相当し、光源11の光束は画面34より広い角度で上端の外から下端の外まで走査される。そのうち、画面34の上端から下端までに相当する角度は例えば48度とする。画面34が48度に相当する角度とすると、図4(f)の例では縦方向が8ブロックであるから、各ブロックは6度ずつの角度に相当し、各ブロック当りの通過時間は約1.7ms(=16.67/60×6)である。
【手続補正５】
【補正対象書類名】明細書
【補正対象項目名】００８４
【補正方法】変更
【補正の内容】
【００８４】
図13の模式図により実施例6のLEDの発光状態を説明する。図13(a)はフル発光時のLED一個分の光束の領域を、図13(b)はフル発光時の二次元状のLEDアレイの光束の領域138と液晶パネル15の表示領域134を示す。
【手続補正６】
【補正対象書類名】明細書
【補正対象項目名】００８５
【補正方法】変更
【補正の内容】
【００８５】
また、図13(c)はハーフ発光時のLED一個分の光束の領域を、図13(d)はブロック制御時の二次元状のLEDアレイの光束の領域138と液晶パネル15の表示領域134を示す。
【手続補正７】
【補正対象書類名】明細書
【補正対象項目名】００８６
【補正方法】変更
【補正の内容】
【００８６】
なお、図13(b)(d)は簡略化のために、横方向に10ブロック、縦方向に5ブロックの例を示すが、上述したように多数のブロックにした方が画質的に優れる。
【手続補正８】
【補正対象書類名】明細書
【補正対象項目名】００８７
【補正方法】変更
【補正の内容】
【００８７】
LED一個分の光束の領域（図13(a)(c)）は、全体の表示領域138を縦横のブロック数で割った面積よりも例えば二割ほど大きな領域とするが、光束の領域の周辺部が暗くなるようにLED素子の配光特性を調整する。これにより、二次元状の白色LEDアレイの光束の領域138に示すように、上下左右のLEDの光束の領域が重なる。その結果、左右上下とも領域間の光の重なり状態がスムーズになり、領域間に発生する線状の干渉むらのような妨害を防ぐことができる。
【手続補正９】
【補正対象書類名】明細書
【補正対象項目名】００９９
【補正方法】変更
【補正の内容】
【００９９】
光源111の白色LEDからの光は前方に拡散するので、集光レンズ142の集光により、ブロック状の平行光に変換する。そして、ポリゴンミラー143を回転させ、ポリゴンミラー143に入射するブロック状の平行光をライン状に走査する。ポリゴンミラー144は、ポリゴンミラー143の回転に対して直交する方向に回転する。ポリゴンミラー144の回転により、ポリゴンミラー144に入射するライン状の平行光は二次元状に走査される。二次元状に走査された光は液晶パネル145に入射し、液晶パネル145に表示される画像によって変調された光束が出力される。出力される光束は、図示しない投影レンズによって拡大され、図示しないスクリーンに投影される。
【手続補正１０】
【補正対象書類名】図面
【補正対象項目名】図１３
【補正方法】変更
【補正の内容】
【図１３】
2013254182.tif 000001